(57)【特許請求の範囲】
【請求項１】
カートリッジ式石油ストーブに使われる、吊り手と給油口が上下両端に分かれて設けられたカートリッジ式タンクに給油する際に回転式ボックスに装着し、上下を反転して給油口を真上にして安定した状態で給油できる合成樹脂製の回転式給油補助具であって、ボックスの底部、つまり給油口側は給油口が真上に来たときに操作できるよう開口してあり、回転式ボックスの回転軸はステンレスのシャフトとスタンドで支えられているが、この回転式ボックスの正面には、回転軸を中心にブレーキ装置としてのステンレスのディスクが設けられており、このディスクの面に直角に交差するスピンドルが、押圧スプリングによって常に押しつけられた状態にあり、回転式ボックスは、この摩擦抵抗に打ち勝って回転する仕組みであり、ディスクにはタンクの挿入口側と、給油口側の上下２箇所にスピンドル大の穴が設けてあり、従ってボックスが回転して、このディスクの上穴がスピンドルの位置に来た瞬間、スピンドルの先端が押圧スプリングの力でカチンとはまり、ボックスの回転が瞬時にとまり、従って転倒の心配もなく、安定した状態で給油口を開けて給油でき、給油後も同様に給油口を閉じ、ボックスの上蓋をしめスピンドルボタンを引き、ロックを解除し指先で回転させてやると、ボックスの挿入口が真上の位置にきた瞬間、ディスクの下穴にスピンドルがカチンとはまり、タンクの回転は瞬時にロックされるので、上蓋を開けてタンクの吊り手を持って引き抜きストーブに装着することによる操作性と安全性に優れた低コストのカートリッジ式タンクの給油補助具。
【請求項２】
回転式ボックスの回転軸つまりボックスを支えるシャフトの位置が、中心より左に５耗変位しているため、タンクの重心は左右アンバランスになっており、このためスピンドルボタンを引いてロックを解除したとたん回転式ボックスは右側から自転を始めるので、あとは指で少し力を加えてやれば、給油口が真上にきたとたん、ロックがかかり回転は停止し、給油後も同様に今度はロックを解除したとたん左から自転が始るので、あとは指先で少し押してやれば、挿入口が真上に来た段階で、カチンとロックされ回転は止まることにより、重心の移動と慣性を利用した、コンパクトで省力化された請求項１記載のカートリッジ式タンクの給油補助具。
【請求項３】
回転式ボックスのディスクとスピンドルについては、摩擦抵抗が少なく耐候性や強度に優れた材料であるが、ディスクを設けず合成樹脂製のボックス自体に穴をあけ直接スピンドルがはまり込む方式の、請求項１又は２に記載のカートリッジ式タンクの給油補助具。
【発明の詳細な説明】
【技術分野】
【０００１】  本発明は石油ストーブのカートリッジ式タンクに給油の際、タンクの上下が簡単に反転でき給油中には動きが完全に制御され静止状態を維持することにより、安全な給油作業ができる回転式給油補助具に関する。
【従来技術】
【０００２】  石油ストーブのカートリッジ式タンクはその構造上、吊り手側が上に、給油口側が下の状態で装着されている。従って給油に際しては「吊り手側」と「給油口側」を反転し、給油口を上に真っ直ぐ立てて、給油中に転倒しないよう安定した状態に保つ必要があるが、サイホンを使っての給油中にも絶えず転倒の危険がつきまとう。
【０００３】  更に給油後は再び給油口側を下に、吊り手側を上に反転してストーブに装着しなければならずこうした作業は、特にタンクが満タン状態では、一旦地面に倒し吊り手を上にして持ち上げるか両手でタンクを抱えたまま吊り手と給油口を反転するしかなく、これらの作業は常に危険が伴う。このため従来から様々な給油補助具が提案されている。
【０００４】  従来の給油補助具は、灯油缶又はポリタンクとカートリッジ式タンクを一体装置するタイプで例えば、特開２０００−０１４５２６号や、特許第３４１３４６３号、等があり、前者は据え置きタイプ、後者はキャスターによる移動できるタイプであるが、ともにサイホンでの給油を容易にするため、灯油缶又はポリタンクのレベルを、給油を受けるカートリッジ式タンクより高い位置からの給油にこだわりがある。また、特開平１０−３１５９８０号は電動ポンプと、灯油缶又はポリタンクを一体装備して、台車でストーブの位置まで移動して給油するタイプである。また特開平０８−０４２８３７号はあらかじめ灯油を満たしたカートリッジ式タンクを、サイホンともども吊り手側を上に倒立状態で保管するタイプであるが、カートリッジ式タンクそのものへの給油方法には触れられていない。
【発明の開示】
【発明が解決しようとする課題】
【０００５】  カートリッジ式タンクに給油する際の主な作業は、石油ストーブから吊り手が上の状態で抜き取ったカートリッジ式タンクを上下反転し、給油口を上にして転倒しないよう平らな場所に直立させて、灯油缶又はポリタンクから、給油する作業と、給油後再び上下反転し、吊り手を上にして運搬し石油ストーブに装着する３件である。【０００６】  このうち灯油缶又はポリタンクからカートリッジ式タンクへの給油については、電動ポンプが普及し、同じレベルからの給油がほぼ可能になった今日、転倒の危険さえなければタンクの位置関係にこだわる必要はなくなった。従って残る課題は空のカートリッジ式タンクの上下反転と給油作業時の安全確保であり、どのようにして給油後の重いタンクをうまく再反転し、吊り手側を上にできるかが鍵である。【０００７】  灯油缶又はポリタンクとカートリッジ式タンクの、一体型の給油補助具のように、多機能化すればするほど、ボリュームも大きくなり製造コストもかさむ。キャスターや台車で移動するにしても屋内では畳みあり、カーペットあり、フローリングありでその間には多くの段差もあり、屋内に保管することは勿論、転がすことも安全上の制約がある。【０００８】  そこで本発明の目的は、カートリッジ式タンクの上下反転が、驚くほど簡単で指一本の力でも容易に反転でき、また給油中はタンクが完全に固定され安全性の確保が期待できる、低コストでシンプルなカートリッジ式タンクに給油する際に用いる回転式給油補助具を提供することにある。
【課題を解決するための手段】
【０００９】  カートリッジ式石油ストーブに使われる、吊り手と給油口が上下両端に分かれて設けられたカートリッジ式タンクに、給油する際に用いる回転式給油補助具である。カートリッジ式タンクを装着するボックスの底部、つまり反転した時の給油口側は、給油口を開閉するスペースだけ開けてある。回転式ボックスの回転軸はステンレスのシャフトとスタンドで支えられているが、この回転式ボックスの正面には、回転軸を中心にブレーキ装置としてのディスク（ステンレス製の円板）が取り付けられており、この面に直角に交差するスピンドルが、押圧スプリングによって常に押しつけられた状態にある。つまり回転式ボックスはこの摩擦抵抗に打ち勝って回転する仕組みである。一方ディスクにはボックスの垂直方向、つまり挿入口側と給油口側の上下２箇所に、スピンドル大の穴が開けてある。従ってボックスが回転してこのディスクの上穴がスピンドルの位置にきた瞬間、スピンドルの先端が押圧スプリングの力でカチンと穴にはまり、回転式ボックスの回転は瞬時にロックされる。従って転倒の心配がなく極めて安定した状態で給油口を開けて給油ができる。給油後も同様に給油口を閉じボックスの上蓋をしめスピンドルボタンを引き、ロックを解除すると回転式ボックスは自転をはじめるが指で少し力を加えてやると、カートリッジ式タンクの挿入口が真上に来たとたん、下穴にスピンドルがはまり、タンクの回転は瞬時にロックされるので、ボックスの上蓋を開けてカートリッジ式タンクを取り出す。このように構造が極めてシンプルで省力化と安全性の高いカートリッジ式タンクの給油補助具を提供する。【００１０】  ボックスに空のカートリッジ式タンクを装着し、挿入口側と給油口側を反転させて給油口を真上に持ってくるには、ボックスの１８０度の回転が必要であるが、回転式ボックスの回転軸つまりボックスを支えるシャフトの位置が、中心より左に約５粍変移しているため、タンクの重心はアンバランスになっており、このためスピンドルボタンを引いてロックを解除したとたん、回転式ボックスは右側から自転を始めるので後は指で少し力を加えてやれば、給油口が真上にきたとたんロックがかかり回転は停止する。給油後も同様に今度はロックを解除したとたん逆回転が始まるので、あとは指先で少し押してやれば挿入口が真上に来た段階でカチンとロックされ回転は止まる。あとはボックスの上蓋を開けて吊り手を持ってタンクを引き抜く。このように重心の移動と慣性を利用したコンパクトで操作性の高い低コストのカートリッジ式タンクの給油補助具を提供する。【００１１】  カートリッジ式タンクを装着するボックスを支えるスタンドは、ボックスの回転に耐え得るがっちりした安定性のあるものであればデザインは特に指定しない。
【発明の効果】
【００１２】  上述のように、本発明はディスクによる回転式ボックスの瞬間で確実なロックと、重心の変移によるロックからの離脱と慣性及び重力を利用した上下反転作業の省力化により、安全性と利便性がともに確保されたカートリッジ式タンクに給油する際に用いる回転式給油補助具である。【００１３】  特筆すべきは、カートリッジ式タンクのストーブからの取り外しに始まり、本給油補助具への装着・上蓋を閉じる・ボックスの上下反転・給油キャップを開く・電動ポンプの吸い込み口をポリタンクへ・吐出口をカートリッジ式タンクへ挿入・ポンプのスイッチオン・タンクへの給油完了。給油キャップを閉じる・再びタンクの上下反転・本給油補助具からの離脱・石油ストーブへの装着・といった一連の作業が、すべて片手で出来るという点にある。このことは本給油補助具が高齢者から体の不自由な方、とりわけ片手が不自由な方でも、充分取り扱いが可能であることを意味し、その操作性、便利性は計りしれない。【００１４】  本回転ボックスはディスクをはじめボルト、ビス、蝶番、止め金等の金属部分はすべてステンレスを使用しているが、構造的にも極めてシンプルであり、ＡＢＳ樹脂やポリプロピレン樹脂等による一体成形加工も充分可能で製造コストの低減が期待できる。なお本機は４年間屋外軒下を定位置に使用したが耐久性についても十分立証された。
【発明を実施するための最良の形態】
【００１５】  以下、本発明のカートリッジ式タンクに給油する際の用いる、反転式給油補助具の実施例を図１〜図１０に基づいて説明する。
【実施例１】
【００１６】  図１は本発明にかかわるカートリッジ式タンクに給油する際に用いる回転式給油補助具の斜視図であって、１は、空のカートリッジ式タンクを装着する回転式のボックスで、このボックスの上蓋２は２７０度開閉が可能な蝶番３及び３ａと、止め金４によって構成されている。【００１７】  回転式ボックス１の中央部分には、図１の斜視図と図２の断面図及び図３（ａ）（ｂ）及び図４（ａ）（ｂ）に示すように左右それぞれのシャフト１０及び１０ａが、補強プレート７及び７ａを介して、袋ナット１４及び１４ａで強固に固定されており、これら回転式ボックスの満タン時の全重量はスタンド９によって支えられている。【００１８】  回転式ボックス１の正面には、図２の断面図に示すとおり、シャフト１０を中心に、ディスク（ステンレス製の円盤）６が取り付けてあり、このディスクには上下２箇所、つまりボックスの上蓋側が真上の位置と、給油口側が真上の位置にそれぞれ直径７粍の穴、５及び５ａが設けてある。【００１９】  一方、スピンドル１３は押圧スプリング１２によって、このディスク６に直角に常に押しつけられた状態にある。従って回転式ボックス１の上蓋側が真上、又は給油口側が真上のいずれかの位置にきた時に、スピンドル１３が、カチンと穴５、又は５ａにはまり込み、回転式ボックスの回転が瞬時にロックされる。【００２０】  給油作業は前回給油が終わった状態、つまりボックスの上蓋２が開いて回転式ボックスの動きが穴５ａによってロックされた状態からスタートする。図５に示すように、まず吊り手１５ｂを持ってカートリッジ式タンク１５を回転式ボックス１に装着する。【００２１】  図１に示すようにボックスの上蓋２を閉めて、留め金４をかけ、スピンドルボタン１１を引くと、図２に示すスピンドル１３がホール５ａから解放され、回転式ボックス１が、図６及び図７に示す通り右から自転をはじめる。これは図３及び図４に示すようにボックス１に取り付けられているシャフト１０及び１０ａの位置が回転式のボックスの中心から左に５耗変位していることにより、回転式ボックスの右半分に、より多くのウェイトがかかっているためで、あとは指で少し力を加えてやれば、図８に示すように回転式ボックスの給油口１５ａが真上にきた途端、スピンドル１３が、穴５にカチンとはまり、回転式ボックス１の動きは瞬時に停止する。【００２２】  この状態で図８に示すように給油口１５ａが真上にあるので、給油口を開き電動式サイホン等で給油するが、回転式ボックスで完全に固定された状態にあり、転倒の心配もなく安定した給油が可能である。【００２３】  給油後は給油口１５ａを閉め、再びスピンドルボタン１１を引くと、ロックは解除されるが、今度はシャフト１０及び１０ａの中心が回転式ボックス１の右側に変移しているため、左側により多くのウェイトがかかっており、左から自転が始まるので、あとは指で少し力を加えてやれば、図７、図６の順に回転しボックスの上蓋２が真上に来た段階で、スピンドル１０がディスクの下穴５ａにカチンとはまってロックがかかり、回転式ボックス１の回転が瞬時に停止し、図１の状態に戻る。【００２４】  後は回転式ボックスの上蓋２の留め金４を外し、蓋２を開き図５のとおり、カートリッジ式タンクの吊り手１５ｂを持ってタンクを引き抜き、カートリッジ式石油ストーブへ装着する。
【図面の簡単な説明】
【００２５】
【図１】本発明の実施形態を示すカートリッジ式タンクに給油する際に用いる回転式給油補助具の斜視図である。
【図２】図１のＡ，Ａ’の重要部縦断面図である。
【図３】（ａ）は本発明の正面図、（ｂ）は側面図である。
【図４】（ａ）は本発明の底面図、（ｂ）は上面図である。
【図５】カートリッジ式タンクの吊り手を持って回転式ボックスに装着する様子を示す斜視図である。
【図６】回転式ボックスにカートリッジ式タンクを装着後、ボックスが回転する様子を示す斜視図である。
【図７】回転式ボックスにカートリッジ式タンクを装着後、ボックスが回転する様子を示す斜視図である。
【図８】回転式ボックスが回転し頂部開口部が真上になって給油口が露出した状態を示す斜視図である。
【図９】本給油補助具の提げ手を持って移動が可能な状態を示す斜視図である。
【図１０】（ａ）（ｂ）従来のカートリッジ式タンクに給油する際の作業の模様を示す説明図である。
【符号の説明】
【００２６】  １、回転式ボックス
２、ボックスの上蓋
３、３、３ａ  蝶番
４、留め金
５、上穴
５ａ、下穴
６、ステンレスのディスク
１０、シャフト
１１、スピンドルぼたん
１２、押圧スプリング
１３、スピンドル
【図１】
0005644034.tif 000002
【図２】
0005644034.tif 000003
【図３】
0005644034.tif 000004
【図４】
0005644034.tif 000005
【図５】
0005644034.tif 000006
【図６】
0005644034.tif 000007
【図７】
0005644034.tif 000008
【図８】
0005644034.tif 000009
【図９】
0005644034.tif 000010
【図１０】
0005644034.tif 000011